(57)【要約】      （修正有）【課題】モールドフレームを省略しながらも構成要素を固定させることができる表示装置用下部シャーシ及びこれを含む表示装置を提供する。【解決手段】表示装置用下部シャーシ３２０は、底面３２２と、前記底面３２２から延長されて折り曲げられた複数の側面３２４と、前記複数の側面３２４から延長されて折り曲げられた複数の天井面３２６と、を備え、前記複数の天井面３２６は前記複数の側面３２４のうちの互いに対向する二つの側面から延長されていることを特徴とする。【選択図】図１
2015108806.tif 000002
【特許請求の範囲】
【請求項１】
底面と、
前記底面から延長されて折り曲げられた複数の側面と
前記複数の側面から延長されて折り曲げられた複数の天井面と、
を備え、
前記複数の天井面は、前記複数の側面のうち互いに対向する二つの側面から延長されていることを特徴とする、表示装置用下部シャーシ。
【請求項２】
前記底面は四角形に形成され、
残り二つの側面には前記天井面が形成されていないことを特徴とする、請求項１に記載の表示装置用下部シャーシ。
【請求項３】
前記底面は二つの長辺及び二つの短辺を含む四角形に形成され、
前記天井面は前記二つの長辺に位置する側面から延長されていることを特徴とする、請求項１に記載の表示装置用下部シャーシ。
【請求項４】
前記底面は二つの長辺及び二つの短辺を含む四角形に形成され、
前記天井面は前記二つの短辺に位置する側面から延長されていることを特徴とする、請求項１に記載の表示装置用下部シャーシ。
【請求項５】
前記複数の側面が互いに接する部分に位置する側面の高さが残り部分に位置する側面の高さより高いことを特徴とする、請求項１に記載の表示装置用下部シャーシ。
【請求項６】
底面、前記底面から延長されて折り曲げられた複数の側面、及び前記複数の側面から延長されて折り曲げられた複数の天井面を含む下部シャーシと、
前記下部シャーシに受納されているバックライトアセンブリーと、
前記バックライトアセンブリーの上に形成されている表示パネルと、
を備え、
前記天井面は、前記複数の側面のうち互いに対向する二つの側面から延長されていることを特徴とする、表示装置。
【請求項７】
前記底面は四角形に形成され、
残り二つの側面には前記天井面が形成されていないことを特徴とする、請求項６に記載の表示装置。
【請求項８】
前記バックライトアセンブリーは、
前記下部シャーシに受納されている導光板を含み、
前記導光板の互いに対向する二つの縁の上部面は前記下部シャーシの天井面によって覆われていることを特徴とする、請求項６に記載の表示装置。
【請求項９】
前記表示パネルは前記下部シャーシの天井面に固定されていることを特徴とする、請求項６に記載の表示装置。
【請求項１０】
前記表示パネルと前記下部シャーシの天井面の間に位置する接着部材をさらに含むことを特徴とする、請求項９に記載の表示装置。
【発明の詳細な説明】
【技術分野】
【０００１】
本発明は表示装置用下部シャーシ及びこれを含む表示装置に関するものであって、より詳しくはモールドフレームを省略しながらも構成要素を固定させることができる表示装置用下部シャーシ及びこれを含む表示装置に関するものである。
【背景技術】
【０００２】
今日幅広く使用されるコンピュータモニター、テレビ、携帯電話機などには表示装置が必要である。表示装置には陰極線管表示装置、液晶表示装置、プラズマ表示装置などがある。
【０００３】
液晶表示装置は現在最も幅広く使用されている平板表示装置の一つであって、画素電極と共通電極など電場生成電極が形成されている二枚の表示板とその間に入っている液晶層からなり、電場生成電極に電圧を印加して液晶層に電場を生成し、これを通じて液晶層の液晶分子の配向を決定し、入射光の偏光を制御することによって画像を表示する。
【０００４】
このような液晶表示装置は自ら発光できないので光源を必要とする。この時、光源は別途に備えられた人工光源であるか自然光であってもよい。液晶表示装置に使用される人工光源としては発光ダイオード（ＬＥＤ：Ｌｉｇｈｔ  Ｅｍｉｔｔｉｎｇ  ｄｉｏｄｅ）、冷陰極蛍光ランプ（ＣＣＦＬ：ｃｏｌｄ  ｃａｔｈｏｄｅ  ｆｌｕｏｒｅｓｃｅｎｔ  ｌａｍｐ）、外部電極蛍光ランプ（ＥＥＦＬ：ｅｘｔｅｒｎａｌ  ｅｌｅｃｔｒｏｄｅ  ｆｌｕｏｒｅｓｃｅｎｔ）などがある。
【０００５】
このような人工光源から発生した光が表示板全体に均一な輝度を有して達することができるようにする導光板（ＬＧＰ、ＬｉｇｈｔＧｕｉｄｅＰｌａｔｅ）を必要とする。
【０００６】
一般に液晶表示装置は表示板、光源、導光板などの構成要素を受納できる下部シャーシ、これらを固定させることができるモールドフレームを含む。モールドフレームを下部シャーシに組み立てる過程で不良が発生する問題点がある。例えば、最近、薄型化傾向によりモールドフレームの厚さを薄く形成する場合に浮き上がったり、曲がるなどの問題が発生することがある。また、フックを用いてモールドフレームを下部シャーシに固定させる時、モールドフレームの一部が削られることによって異物を発生させることがある。
【発明の概要】
【発明が解決しようとする課題】
【０００７】
本発明は前記のような問題点を解決するために案出したもので、モールドフレームを省略しながらも構成要素を固定させることができる表示装置用下部シャーシ及びこれを含む表示装置を提供することにその目的がある。
【課題を解決するための手段】
【０００８】
前記のような目的による本発明の一実施形態による表示装置用下部シャーシは、底面、前記底面から延長されて折り曲げられた複数の側面、及び前記複数の側面から延長されて折り曲げられた複数の天井面を含み、前記複数の天井面は前記複数の側面のうちの互いに対向する二つの側面から延長されていることを特徴とする。
【０００９】
前記底面は四角形に形成され、残り二つの側面には前記天井面が形成されていなくてもよい。
【００１０】
前記底面は二つの長辺及び二つの短辺を含む四角形に形成され、前記天井面は前記二つの長辺に位置する側面から延長されてもよい。
【００１１】
前記底面は二つの長辺及び二つの短辺を含む四角形に形成され、前記天井面は前記二つの短辺に位置する側面から延長されてもよい。
【００１２】
前記複数の側面が互いに接する部分に位置する側面の高さが残り部分に位置する側面の高さより高くてもよい。
【００１３】
本発明の一実施形態による表示装置は、底面、前記底面から延長されて折り曲げられた複数の側面、及び前記複数の側面から延長されて折り曲げられた複数の天井面を含む下部シャーシ、前記下部シャーシに受納されているバックライトアセンブリー、及び前記バックライトアセンブリーの上に形成されている表示パネルを含み、前記天井面は前記複数の側面のうちの互いに対向する二つの側面から延長されていることを特徴とする。
【００１４】
前記底面は四角形に形成され、残り二つの側面には前記天井面が形成されていなくてもよい。
【００１５】
前記バックライトアセンブリーは、前記下部シャーシに受納されている導光板を含み、前記導光板の互いに対向する二つの縁の上部面は前記下部シャーシの天井面によって覆われていてもよい。
【００１６】
前記バックライトアセンブリーは前記導光板の一側面に配置されている光源をさらに含んでもよい。
【００１７】
前記バックライトアセンブリーは前記導光板の上に配置されている複数の光学シートをさらに含んでもよい。
【００１８】
前記表示パネルは前記下部シャーシの天井面に固定されてもよい。
【００１９】
前記表示パネルと前記下部シャーシの天井面の間に位置する接着部材をさらに含んでもよい。
【００２０】
前記接着部材は両面テープからなってもよい。
【００２１】
前記表示パネル及び前記下部シャーシの縁に形成されている遮光部材をさらに含んでもよい。
【００２２】
前記遮光部材は前記表示パネルの上部面の縁、前記表示パネルの側面、前記下部シャーシの側面、及び前記下部シャーシの下部面の縁を覆うように形成されてもよい。
【００２３】
前記遮光部材は断面テープからなってもよい。
【００２４】
前記底面は二つの長辺及び二つの短辺を含む四角形に形成され、前記天井面は前記二つの長辺に位置する側面から延長されてもよい。
【００２５】
前記底面は二つの長辺及び二つの短辺を含む四角形に形成され、前記天井面は前記二つの短辺に位置する側面から延長されてもよい。
【００２６】
前記複数の側面が互いに接する部分に位置する側面の高さが残り部分に位置する側面の高さより高くてもよい。
【００２７】
前記複数の側面が互いに接する部分に位置する側面が前記表示パネルの側面を覆うように形成されてもよい。
【発明の効果】
【００２８】
前記のような本発明の一実施形態による表示装置用下部シャーシ及びこれを含む表示装置は次のような効果がある。
【００２９】
本発明の一実施形態による表示装置用下部シャーシ及びこれを含む表示装置は下部シャーシを用いて構成要素を固定させることができる。
【図面の簡単な説明】
【００３０】
【図１】本発明の一実施形態による表示装置を示す断面図である。
【図２】本発明の一実施形態による表示装置の下部シャーシを示す平面図である。
【図３】図２のＩＩＩ−ＩＩＩ線に沿って示す本発明の一実施形態による表示装置の下部シャーシの断面図である。
【図４】図２のＩＶ−ＩＶ線に沿って示す本発明の一実施形態による表示装置の下部シャーシの断面図である。
【図５】本発明の一実施形態による表示装置の組立過程を示す工程断面図である。
【図６】本発明の一実施形態による表示装置の組立過程を示す工程断面図である。
【図７】本発明の一実施形態による表示装置の組立過程を示す工程断面図である。
【図８】本発明の一実施形態による表示装置の組立過程を示す工程断面図である。
【図９】本発明の一実施形態による表示装置の組立過程を示す工程断面図である。
【図１０】本発明の一実施形態による表示装置の下部シャーシを示す平面図である。
【図１１】図１０のＸＩ−ＸＩ線に沿って示す本発明の一実施形態による表示装置の下部シャーシの断面図である。
【図１２】図１０のＸＩＩ−ＸＩＩ線に沿って示す本発明の一実施形態による表示装置の下部シャーシの断面図である。
【図１３】本発明の一実施形態による表示装置の下部シャーシを示す平面図である。
【図１４】図１３のＸＩＶ−ＸＩＶ線に沿って示す本発明の一実施形態による表示装置の下部シャーシの断面図である。
【図１５】図１３のＸＶ−ＸＶ線に沿って示す本発明の一実施形態による表示装置の下部シャーシの断面図である。
【図１６】本発明の一実施形態による表示装置を示す断面図である。
【発明を実施するための形態】
【００３１】
以下、添付した図面を参照して本発明の実施形態について本発明の属する技術分野における通常の知識を有する者が容易に実施することができるように詳しく説明する。しかし、本発明は様々な形態に実現でき、ここで説明する実施形態に限定されない。
【００３２】
図面で様々な層及び領域を明確に表現するために厚さを拡大して示した。明細書全体にわたって類似の部分については同一な図面符号を付けた。層、膜、領域、板などの部分が他の部分の“上”にあるという時、これは他の部分の“直上”にある場合だけでなく、その中間にまた他の部分がある場合も含む。反対に、ある部分が他の部分の“直上”にあるという時には中間に他の部分がないことを意味する。
【００３３】
まず、図１を参照して本発明の一実施形態による表示装置について説明する。
【００３４】
図１は本発明の一実施形態による表示装置を示す断面図である。
【００３５】
本発明の一実施形態による表示装置は大きく画像を表示する表示パネル１００及び表示パネル１００に光を供給するバックライトアセンブリー２００からなる。また、表示パネル１００及びバックライトアセンブリー２００を受納するための下部シャーシ３２０が形成されている。
【００３６】
表示パネル１００は液晶表示パネル（ｌｉｑｕｉｄ  ｃｒｙｓｔａｌ  ｄｉｓｐｌａｙ  ｐａｎｅｌ、ＬＣＤ）からなってもよく、これに限定されず電気泳動表示パネル（ｅｌｅｃｔｒｏｐｈｏｒｅｔｉｃ  ｄｉｓｐｌａｙ  ｐａｎｅｌ、ＥＤＰ）などの多様な表示パネルを使用してもよい。
【００３７】
表示パネル１００として液晶表示パネルが使用される場合、表示パネル１００は第１基板１１０及び第２基板１２０が互いに対向して合着されてなり、第１基板１１０と第２基板１２０の間には液晶層（図示せず）が形成されている。図示は省略したが、第１基板１１０の上には複数のゲート線及びデータ線、これらと接続される薄膜トランジスタが形成されている。また、ゲート線から印加される信号によって薄膜トランジスタがターンオンされると、データ線から信号が印加される画素電極が形成されている。第１基板１１０または第２基板１２０の上には共通電極が形成されてもよく、画素電極と共通電極の間に電界が形成され液晶層の液晶分子の配向を制御する。これにより、バックライトアセンブリー２００から入射した光を制御して画像を表示する。
【００３８】
バックライトアセンブリー２００は光を供給する光源部２１０、光源部２１０から出る光を表示パネル１００に案内する導光板２３０、導光板２３０の上に配置されている光学シート２２０を含む。
【００３９】
光源部２１０は表示パネル１００のいずれか一側縁の下部に配置され光を発生させる光源２１１、光源２１１を実装する回路基板２１２を含む。
【００４０】
光源２１１は複数の発光部材からなってもよく、発光部材は例えば、発光ダイオード（ＬＥＤ、Ｌｉｇｈｔ  Ｅｍｉｔｔｉｎｇ  ｄｉｏｄｅ）などからなってもよい。
回路基板２１２は光源２１１と電気的に接続され光源２１１を駆動する信号を光源２１１に供給する。
【００４１】
光源部２１０は光を発生させる過程で熱が発生し、放熱のために光源部２１０と隣接して押出バー２４０が形成されてもよい。押出バー２４０はアルミニウムなどのように放熱性能の高い材質からなってもよい。
【００４２】
導光板２３０は光源部２１０と隣接するように配置されている。光源部２１０から出る光は導光板２３０の側面に入射して上部面に出る。この時、導光板２３０は入射光が上部面に全体的に均一に出るようにする。
【００４３】
光学シート２２０は光源部２１０から出た光の集光効率を高め、光が全体的に均一な分布を有し得るようにする。このような光学シート２２０は複数の多様なシートからなってもよく、例えば、順次に積層された拡散シート２２２、プリズムシート２２４、及び保護シート２２６を含む。
【００４４】
拡散シート２２２は光源部２１０から出た光を拡散させる。プリズムシート２２４は拡散シート２２２で拡散された光を表示パネル１００の平面に垂直な方向に集光する。プリズムシート２２４を通過した光はほぼ大部分が表示パネル１００に垂直に入射する。また、保護シート２２６はプリズムシート２２４の上に配置されてもよく、外部の衝撃からプリズムシート２２４を保護する。
【００４５】
前記で光学シート２２０は拡散シート２２２、プリズムシート２２４、及び保護シート２２６が１枚ずつ備えられたものを例として挙げたが、本発明はこれに限定されない。前記光学シート２２０は拡散シート２２２、プリズムシート２２４、及び保護シート２２６のうちの少なくともいずれか一つを複数枚重ねて使用してもよく、必要によっていずれか一つのシートを省略してもよい。
【００４６】
下部シャーシ３２０は表示パネル１００及びバックライトアセンブリー２００を受納することができる。下部シャーシ３２０は外部の衝撃から表示パネル１００及びバックライトアセンブリー２００を保護することができるように剛性の高い材質からなってもよい。
以下、図２乃至図４を参照して本発明の一実施形態による表示装置の下部シャーシについてさらに説明する。
【００４７】
図２は本発明の一実施形態による表示装置の下部シャーシを示す平面図であり、図３は図２のＩＩＩ−ＩＩＩ線に沿って示す本発明の一実施形態による表示装置の下部シャーシの断面図であり、図４は図２のＩＶ−ＩＶ線に沿って示す本発明の一実施形態による表示装置の下部シャーシの断面図である。
【００４８】
下部シャーシ３２０は底面３２２、底面３２２から延長されて折り曲げられた複数の側面３２４、複数の側面３２４から延長されて折り曲げられた複数の天井面３２６を含む。
底面３２２はほぼ四角形に形成されてもよく、特に二つの長辺及び二つの短辺を含む四角形に形成してもよい。
【００４９】
側面３２４は底面３２２の縁から延長されて形成され、底面３２２とほぼ垂直をなしてもよい。側面３２４は底面３２２の全ての縁を囲むように形成されてもよい。
【００５０】
天井面３２６は複数の側面３２４のうちの互いに対向する二つの側面３２４から延長されている。互いに対向する二つの側面３２４を除いた残りの二つの側面３２４には天井面３２６が形成されていない。例えば、底面３２２は二つの長辺と二つの短辺からなり、天井面３２６は二つの長辺に位置する側面３２４から延長されてもよい。この時、二つの短辺に位置する側面３２４には天井面３２６が形成されない。
【００５１】
したがって、図３に示されているように、長辺に平行な方向に切断した断面では下部シャーシ３２０の両側端部がほぼ‘Ｌ’字形に形成されてもよい。また、図４に示されているように、短辺に平行な方向に切断した断面では下部シャーシ３２０の両側端部がほぼ‘Ｃ’字形に形成されてもよい。
【００５２】
図２に示されているように、天井面３２６は複数の側面３２４のうちの互いに対向する二つの側面３２４の一部から延長されてもよい。つまり、側面３２４の両側縁には天井面３２６が形成されなくてもよい。但し、本発明はこれに限定されず、天井面３２６が複数の側面３２４のうちの互いに対向する二つの側面３２４の全体から延長されてもよい。
【００５３】
再び、図１を参照すれば、光源部２１０は下部シャーシ３２０の側面３２４の内側に配置されている。導光板２３０は光源部２１０に隣接して配置されている。光源部２１０から出る光が導光板２３０の側面に入射されるように配置される。導光板２３０の縁の上部面は下部シャーシ３２０の天井面によって覆われている。導光板２３０はほぼ四角形に形成されてもよく、導光板２３０の互いに対向する二つの縁の上部面が下部シャーシ３２０の天井面３２６によって覆われてもよい。導光板２３０は下部シャーシ３２０の底面３２２と天井面３２６の間に挟まれて固定されてもよい。
【００５４】
前記で光源部２１０が表示パネル１００の一側縁の下部に配置されるエッジ型（ｅｄｇｅ−ｔｙｐｅ）バックライトについて説明したが、本発明はこれに限定されず、直下型バックライトを使用してもよい。
【００５５】
表示パネル１００は下部シャーシ３２０の天井面３２６に固定されている。表示パネル１００は下部シャーシ３２０の天井面３２６の上に配置される。表示パネル１００と下部シャーシ３２０の天井面３２６の間には接着部材５００を形成してもよい。接着部材５００は両面テープで形成してもよく、表示パネル１００が下部シャーシ３２０に固定されるようにする。
【００５６】
表示パネル１００と下部シャーシ３２０の縁には遮光部材６００を形成してもよい。光源２１１から出る光の一部が反射されながら表示パネル１００の上部面の縁または側面に漏れることがある。これを防止するために遮光部材６００が表示パネル１００の上部面の縁、表示パネル１００の側面を覆うように形成されてもよい。また、遮光部材６００は下部シャーシ３２０の側面、下部シャーシ３２０の下部面の縁を覆うようにさらに形成されてもよい。この時、遮光部材６００は遮光物質を含む断面テープからなってもよい。
【００５７】
以下、図５乃至図９を参照して本発明の一実施形態による表示装置の組立工程について説明する。
【００５８】
図５乃至図９は本発明の一実施形態による表示装置の組立過程を示す工程断面図である。
【００５９】
まず、図５に示されているように、光源部２１０及び押出バー２４０を下部シャーシ３２０に固定させる。まず、光源部２１０を押出バー２４０に固定させ、押出バー２４０を下部シャーシ３２０の内部に挿入した後、下部シャーシ３２０の側面３２４または底面３２２にねじなどを用いて固定してもよい。
【００６０】
その次に、導光板２３０を準備する。導光板２３０の大きさは下部シャーシ３２０の二つの天井面３２６の間の空間より大きいので、一般的なトップ−ダウン（Ｔｏｐ−ｄｏｗｎ）方式では組み立てられない。
【００６１】
図６に示されているように、導光板２３０の一側縁を下部シャーシ３２０の一側縁に位置させる。導光板２３０の一側縁を下部シャーシ３２０の一側縁の底面３２２と天井面３２６の間に挟んで導光板２３０の一側縁を下部シャーシ３２０に固定させる。
【００６２】
図７に示されているように、導光板２３０を曲げて、導光板２３０の他側縁を下部シャーシ３２０の他側縁に位置させる。導光板２３０の大きさが下部シャーシ３２０の二つの天井面３２６の間の空間より大きいので、導光板２３０を曲げて下部シャーシ３２０に挿入することができる。
【００６３】
図８に示されているように、導光板２３０に加える応力を除去すれば、導光板２３０は元の状態の形状に復元される。つまり、曲げられた導光板２３０が伸びるようになる。導光板２３０の他側縁は下部シャーシ３２０の他側縁の底面３２２と天井面３２６の間に挟まれて、導光板２３０の他側縁が下部シャーシ３２０に固定される。
【００６４】
図示は省略したが、導光板２３０の一側縁及び他側縁に対応する下部シャーシ３２０の側面３２４には緩衝部材をさらに形成してもよい。導光板２３０を下部シャーシ３２０に固定する過程で損傷が発生することを防止し、導光板２３０の膨張及び収縮を緩衝させるなどの役割を果たすことができる。
【００６５】
図９に示されているように、導光板２３０の上に光学シート２２０を配置し、光学シート２２０の上に表示パネル１００を配置する。下部シャーシ３２０の天井面３２６の上には接着部材５００を形成し、接着部材５００の上に表示パネル１００を付着して、表示パネル１００を下部シャーシ３２０に固定させる。その次に、表示パネル１００及び下部シャーシ３２０の縁に遮光部材６００を形成する。
【００６６】
以下、図１０乃至図１２を参照して本発明の一実施形態による表示装置の下部シャーシについて説明する。
【００６７】
図１０乃至図１２に示されている本発明の一実施形態による表示装置の下部シャーシは図２乃至図４に示されている本発明の一実施形態による表示装置の下部シャーシと同一な部分が相当であるので、これに関する説明は省略する。本実施形態では天井面が二つの短辺に位置する側面から延長されるという点において前述の実施形態と異なり、以下でさらに詳しく説明する。
【００６８】
図１０は本発明の一実施形態による表示装置の下部シャーシを示す平面図であり、図１１は図１０のＸＩ−ＸＩ線に沿って示す本発明の一実施形態による表示装置の下部シャーシの断面図であり、図１２は図１０のＸＩＩ−ＸＩＩ線に沿って示す本発明の一実施形態による表示装置の下部シャーシの断面図である。
【００６９】
下部シャーシ３２０は底面３２２、底面３２２から延長されて折り曲げられた複数の側面３２４、複数の側面３２４から延長されて折り曲げられた複数の天井面３２６を含む。
天井面３２６は複数の側面３２４のうちの互いに対向する二つの側面３２４から延長されている。互いに対向する二つの側面３２４を除いた残りの二つの側面３２４には天井面３２６が形成されていない。例えば、底面３２２は二つの長辺と二つの短辺からなり、天井面３２６は二つの短辺に位置する側面３２４から延長されてもよい。この時、二つの長辺に位置する側面３２４には天井面３２６が形成されない。
【００７０】
したがって、図１１に示されているように長辺に平行な方向に切断した断面では下部シャーシ３２０の両側端部がほぼ‘Ｃ’字形に形成されてもよい。また、図１２に示されているように、短辺に平行な方向に切断した断面では下部シャーシ３２０の両側端部がほぼ‘Ｌ’字形に形成されてもよい。
【００７１】
以下、図１３乃至図１６を参照して本発明の一実施形態による表示装置について説明する。
【００７２】
図１３乃至図１６に示されている本発明の一実施形態による表示装置は図１乃至図４に示されている本発明の一実施形態による表示装置と同一な部分が相当であるので、これに関する説明は省略する。本実施形態では側面の高さが多様に形成されるという点において前述の実施形態と異なり、以下でさらに詳しく説明する。
【００７３】
図１３は本発明の一実施形態による表示装置の下部シャーシを示す平面図であり、図１４は図１３のＸＩＶ−ＸＩＶ線に沿って示す本発明の一実施形態による表示装置の下部シャーシの断面図であり、図１５は図１３のＸＶ−ＸＶ線に沿って示す本発明の一実施形態による表示装置の下部シャーシの断面図である。図１６は本発明の一実施形態による表示装置を示す断面図である。
【００７４】
本発明の一実施形態による表示装置の下部シャーシ３２０は底面３２２、底面３２２から延長されて折り曲げられた複数の側面３２４、複数の側面３２４から延長されて折り曲げられた複数の天井面３２６を含む。
【００７５】
下部シャーシ３２０の複数の側面３２４が互いに接する部分（Ａ領域）に位置する側面３２４の高さ（ｈ２）はＡ領域を除いた残り部分に位置する側面３２４の高さ（ｈ１）より高い。図１４にはＡ領域を除いた残り部分に位置する側面３２４が示されており、図１５にはＡ領域に位置する側面３２４が示されている。
【００７６】
図１６に示されているように、下部シャーシ３２０の複数の側面３２４が互いに接する部分（Ａ領域）に位置する側面３２４が高く形成されるので、Ａ領域で下部シャーシ３２０の側面３２４は表示パネル１００の側面を覆うことができる。したがって、表示パネル１００が下部シャーシ３２０にさらによく固定される。また、下部シャーシ３２０が表示パネル１００を囲むように形成されるので、外部の衝撃によって表示パネル１００が損傷することを防止することができる。
【００７７】
以上で本発明の好ましい実施形態について詳細に説明したが、本発明の権利範囲はこれに限定されるものではなく、次の請求範囲で定義している本発明の基本概念を利用した当業者の様々な変形及び改良形態も本発明の権利範囲に属するものである。
【符号の説明】
【００７８】
１００：表示パネル
１１０：第１基板
１２０：第２基板
２００：バックライトアセンブリー
２１０：光源部
２１１：光源
２１２：回路基板
２２０：光学シート
２２２：拡散シート
２２４：プリズムシート
２２６：保護シート
２３０：導光板
２４０：押出バー
３２０：下部シャーシ
３２２：下部シャーシの底面
３２４：下部シャーシの側面
３２６：下部シャーシの天井面
５００：接着部材
６００：遮光部材
【図１】
2015108806.tif 000003
【図２】
2015108806.tif 000004
【図３】
2015108806.tif 000005
【図４】
2015108806.tif 000006
【図５】
2015108806.tif 000007
【図６】
2015108806.tif 000008
【図７】
2015108806.tif 000009
【図８】
2015108806.tif 000010
【図９】
2015108806.tif 000011
【図１０】
2015108806.tif 000012
【図１１】
2015108806.tif 000013
【図１２】
2015108806.tif 000014
【図１３】
2015108806.tif 000015
【図１４】
2015108806.tif 000016
【図１５】
2015108806.tif 000017
【図１６】
2015108806.tif 000018